(57)【特許請求の範囲】
【請求項１】
送信機及び受信機を有する通信端末装置に設けられるタイミング補正装置において、
上記受信機によつて受信された所定の周期でなる受信信号の受信タイミングを検出する受信タイミング検出手段と、
上記受信タイミングに基づいて上記通信端末装置を動作させるための上記受信タイミング信号の上記周期とほぼ同じ周期でなる基準タイミングを生成する基準タイミング生成手段と、
上記受信タイミングと上記基準タイミングとを比較する比較手段と、
上記比較手段から得られる比較結果に基づいて上記受信タイミングに対する上記基準タイミングのずれを補正するタイミング補正手段と、
少なくとも２種類の補正速度のうち、上記通信端末装置の送受信モード及び受信モードからなる通信モードの状態に応じた上記補正速度で上記受信タイミングに対する上記基準タイミングのずれを補正するように上記タイミング補正手段を制御する制御手段と
を具えることを特徴とするタイミング補正装置。
【請求項２】
上記制御手段は、
上記通信端末装置の上記送受信モード時、各上記補正速度のうち、所定の第１の補正速度で上記受信タイミングに対する上記基準タイミングのずれを補正するように上記タイミング補正手段を制御すると共に、上記通信端末装置の上記受信モード時、上記第１の補正速度よりも速い所定の第２の補正速度で上記受信タイミングに対する上記基準タイミングのずれを補正するように上記タイミング補正手段を制御する
ことを特徴とする請求項１に記載のタイミング補正装置。
【請求項３】
上記制御手段は、
上記通信端末装置の上記受信モード時、上記比較手段から得られる上記比較結果に基づいて各上記補正速度のいずれかを選定し、当該選定した上記補正速度で上記受信タイミングに対する上記基準タイミングのずれを補正するように上記タイミング補正手段を制御する
ことを特徴とする請求項１に記載のタイミング補正装置。
【請求項４】
上記タイミング補正手段は、
上記比較結果に基づいて上記受信タイミングに対する上記基準タイミングのずれを補正するための補正信号を出力する補正信号出力手段と、
上記補正信号に基づいて上記受信タイミングに対する上記基準タイミングのずれを補正する補正手段と
を具え、
上記制御手段は、
上記通信端末装置の上記送受信モード時、上記第１の補正速度に応じたタイミングで上記補正信号を出力させると共に、上記受信モード時、上記第２の補正速度に応じたタイミングで上記補正信号を出力させるように上記補正信号出力手段を制御する
ことを特徴とする請求項２に記載のタイミング補正装置。
【請求項５】
送信機及び受信機を有する通信端末装置を動作させるための基準タイミングを補正するタイミング補正方法において、
上記受信機によつて受信された所定の周期でなる受信信号の受信タイミングを検出すると共に、当該検出結果に基づいて上記受信タイミングの上記周期とほぼ同じ周期でなる上記基準タイミングを生成する第１のステツプと、
上記受信タイミングと上記基準タイミングとを比較し、当該比較結果に基づいて、少なくとも２種類の補正速度のうち、上記通信端末装置の送受信モード及び受信モードからなる通信モードの状態に応じた上記補正速度で上記受信タイミングに対する上記基準タイミングのずれを補正する第２のステツプと
を具えることを特徴とするタイミング補正方法。
【請求項６】
上記第２のステツプでは、
上記通信端末装置の上記送受信モード時、各上記補正速度のうち、所定の第１の補正速度で上記受信タイミングに対する上記基準タイミングのずれを補正すると共に、上記通信端末装置の上記受信モード時、上記第１の補正速度よりも速い所定の第２の補正速度で上記受信タイミングに対する上記基準タイミングのずれを補正する
ことを特徴とする請求項５に記載のタイミング補正方法。
【請求項７】
上記第２のステツプでは、
上記通信端末装置の上記受信モード時、上記比較結果に基づいて各上記補正速度のいずれかを選定し、当該選定した上記補正速度で上記受信タイミングに対する上記基準タイミングのずれを補正する
ことを特徴とする請求項５に記載のタイミング補正方法。
【発明の詳細な説明】
【０００１】
【目次】
以下の順序で本発明を説明する。
【０００２】
発明の属する技術分野
従来の技術（図６〜図８）
発明が解決しようとする課題（図６〜図８）
課題を解決するための手段（図１〜図５）
発明の実施の形態
（１）本実施の形態によるタイミング補正装置の構成（図１）
（２）基準タイミング信号のタイミング補正処理（図２〜図５）
（３）本実施の形態の動作及び効果（図１〜図５）
（４）他の実施の形態（図１〜図５）
発明の効果
【０００３】
【発明の属する技術分野】
本発明はタイミング補正装置及びタイミング補正方法に関し、例えばＣＤＭＡ（Code Division Multiple Access ）方式の携帯型電話機に設けられたタイミング補正装置に適用して好適なものである。
【０００４】
【従来の技術】
従来、この種の携帯型電話機においては、ＣＤＭＡ方式のＩＳ９５規格に定められた規定に従い、基地局から送信される例えば26.6〔msec〕程度の周期で２15ビツトの拡散符号を順次繰り返してなるパイロツト信号を受信するようにして、例えば３周期分の（80〔msec〕程度の周期となる）パイロツト信号（以下、これを特にスーパーフレーム信号と呼ぶ）の受信タイミングに基づいてこの周期（80〔msec〕程度）とほぼ同じ周期でなる基準タイミングを生成すると共に、当該生成した基準タイミングに基づいて基地局の動作タイミングに応じた送信処理及び受信処理を行うようになされている。
【０００５】
またこの種の携帯型電話機においては、所定の信号を送受信する送受信モード時、基地局に対して近づいたり又は遠ざかることによりパイロツト信号の伝送距離が変わると、受信したパイロツト信号の周期が短くなつたり（近づいたとき）又は長くなり（遠ざかるとき）、この結果基準タイミングと受信タイミングとにずれが生じて基地局の動作タイミングに応じた受信処理を行い難くなる。
【０００６】
このためこの種の携帯型電話機においては、受信タイミングに対して基準タイミングがずれた場合、ＩＳ９５規格に定められた規定に従い、この基準タイミングを受信タイミングに合わせるように補正するようになされている。
【０００７】
ここで実際上携帯型電話機においては、内部に設けられたタイミング補正装置により基準タイミングを生成すると共に、この基準タイミングを必要に応じて補正するようになされており、このようなタイミング補正装置としては、図６に示すように構成されたものがある。
【０００８】
すなわち図６に示すように、タイミング補正装置１においては、携帯型電話機（図示せず）によつて受信されたパイロツト信号Ｓ１が受信タイミング検出回路２に与えられる。
【０００９】
受信タイミング検出回路２は、このパイロツト信号Ｓ１に基づいて２周期分（例えば 160〔msec〕程度の周期）のスーパーフレーム信号が与えられるタイミング（すなわち受信タイミング）を検出し、この検出した受信タイミングを表す 160〔msec〕程度の周期でなる受信タイミング信号Ｓ２を生成し、これを比較回路３に与える。
【００１０】
またこのとき基準タイミング発生回路４は、クロツク発生回路（ＶＣＸＯ）５から与えられる所定周波数でなるクロツク信号Ｓ３に基づいて、内部のカウンタにより「０」から予め設定された所定数までを順次繰り返してカウントするようにして受信タイミング信号Ｓ２の周期とほぼ同じ 160〔msec〕程度の周期でなる基準タイミングを表す基準タイミング信号Ｓ４を生成し、これを比較回路３に与える。
【００１１】
これにより比較回路３は、受信タイミング検出回路２から与えられる受信タイミング信号Ｓ２と、基準タイミング発生回路４から与えられる基準タイミング信号Ｓ４とを比較し、この比較結果を比較結果信号Ｓ５としてタイミング補正制御回路６に与える。
【００１２】
タイミング補正制御回路６は、図７（Ａ）〜（Ｃ）に示すように、比較結果信号Ｓ５に基づいて得られる比較結果により基準タイミング信号Ｓ４1N-1、Ｓ４1N、Ｓ４1N+1（図７（Ａ））に対して受信タイミング信号Ｓ２1N-1、Ｓ２1N、Ｓ２1N+1が進むようにずれている場合（図７（Ｂ））、拡散符号の１ビツト（以下、これを１チツプと呼ぶ）の時間幅だけ論理「Ｌ」レベルから論理「Ｈ」レベルに立ち上がり、かつ基準タイミング信号Ｓ４1N-1、Ｓ４1N、Ｓ４1N+1の位相を進めるように指定する第１の補正制御信号Ｓ６を生成し、これを基準タイミング信号Ｓ４の１周期がカウントされる間に１回だけ基準タイミング発生回路４に与える。
【００１３】
これに対してこのタイミング補正制御回路６は、比較結果信号Ｓ５に基づいて得られる比較結果により基準タイミング信号Ｓ４1N-1、Ｓ４1N、Ｓ４1N+1（図７（Ａ））に対して受信タイミング信号Ｓ２1N-1、Ｓ２1N、Ｓ２1N+1が遅れるようにずれている場合（図７（Ｃ））、１チツプの時間幅だけ論理「Ｌ」レベルから論理「Ｈ」レベルに立ち上がり、かつ基準タイミング信号Ｓ４1N-1、Ｓ４1N、Ｓ４1N+1の位相を遅らせるように指定する第２の補正制御信号Ｓ７を生成し、これを基準タイミング信号Ｓ４の１周期がカウントされる間に１回だけ基準タイミング発生回路４に１回与える。
【００１４】
この場合基準タイミング発生回路４は、図８（Ａ）〜（Ｆ）に示すように、クロツク発生回路５から与えられるクロツク信号Ｓ３（図８（Ａ））に基づいて、内部のカウンタにより基準タイミング信号Ｓ４を生成するためにカウントしながら、このカウントの桁よりも下位の桁となる例えば「０」から「３」までを１チツプの時間幅でなる周期（以下、これをチツプ周期と呼ぶ）で順次繰り返しカウントする（図８（Ｂ））。
【００１５】
そしてこの基準タイミング発生回路４は、基準タイミング信号Ｓ４に対して受信タイミング信号Ｓ２が進むようにずれている場合、タイミング補正制御回路６から与えられる第１の補正制御信号Ｓ６（図８（Ｃ））に基づいて、この第１の補正制御信号Ｓ６が論理「Ｌ」レベルから論理「Ｈ」レベルに立ち上がる１チツプ周期において、カウンタにより下位の桁を例えば「２」を飛ばすように「０」、「１」、「３」とカウント（図８（Ｄ））し、かくして１周期分の基準タイミング信号Ｓ４のタイミングを下位の桁のレベルで１カウントだけ進めるように補正する。
【００１６】
これに対して基準タイミング発生回路４は、基準タイミング信号Ｓ４に対して受信タイミング信号Ｓ２が遅れるようにずれている場合、タイミング補正制御回路６から与えられる第２の補正制御信号Ｓ７（図８（Ｅ））に基づいて、この第２の補正制御信号Ｓ７が論理「Ｌ」レベルから論理「Ｈ」レベルに立ち上がる１チツプ周期において、カウンタにより下位の桁を例えば「２」を２度カウントするように「０」、「１」、「２」、「２」、「３」とカウント（図８（Ｆ））し、かくして１周期分の基準タイミング信号Ｓ４のタイミングを下位の桁のレベルで１カウントだけ遅らせるように補正する。
【００１７】
このようにしてこの基準タイミング発生回路４は、比較回路３において受信タイミング信号Ｓ２に対する基準タイミング信号Ｓ４のタイミングにずれが検出されると、１周期分の基準タイミング信号Ｓ４のタイミングを１チツプの４分の１位相進める又は遅らせるようにして補正するようになされている。
【００１８】
【発明が解決しようとする課題】
ところでかかる構成のタイミング補正装置１においては、携帯型電話機の送受信モード時、基準タイミング信号Ｓ４のタイミングのずれを短時間で大幅に補正した場合、この携帯型電話機から送信される信号の受信側においてこの補正に追従した動作タイミングの補正ができずに受信処理を正しく行い難くなることから、ＩＳ９５規格によるタイミング補正の規定に従い、例えば80〔msec〕分の基準タイミング信号Ｓ４に対して１〔μsec 〕以下の範囲でタイミングを補正するように当該基準タイミング信号Ｓ４のタイミングをわずかづつ補正するようになされている。
【００１９】
ただしこのＩＳ９５規格によるタイミング補正の規定は、送受信モード時のみに適用されるものであり、所定の信号の受信のみを行う受信モード時には、基準タイミング信号Ｓ４のタイミングを短時間で大幅に補正しても携帯型電話機の外部に影響を及ぼさないことから特に規定が定められていない。
【００２０】
ところがこのタイミング補正装置１では、受信モード時にもＩＳ９５規格によるタイミング補正の規定に従つて基準タイミング信号Ｓ４のタイミングを補正しており、このためこの受信モード時、携帯型電話機が基地局に急に近づいたり、又は急に遠ざかることにより受信タイミング信号Ｓ２に対する基準タイミング信号Ｓ４のタイミングに大幅なずれが生じた場合、このタイミングの補正に比較的長い時間が必要となり、この補正の間、基地局から送信される信号を正しく受信処理し難くなる問題があつた。
【００２１】
本発明は以上の点を考慮してなされたもので、通信端末装置の受信モード時に信号の受信処理を安定して行わせ得るタイミング補正装置及びタイミング補正方法を提案しようとするものである。
【００２２】
【課題を解決するための手段】
かかる課題を解決するため本発明においては、送信機及び受信機を有する通信端末装置に設けられるタイミング補正装置において、受信機によつて受信された所定の周期でなる受信信号の受信タイミングを検出する受信タイミング検出手段と、受信タイミングに基づいて通信端末装置を動作させるための受信タイミング信号の周期とほぼ同じ周期でなる基準タイミングを生成する基準タイミング生成手段と、受信タイミングと基準タイミングとを比較する比較手段と、当該比較手段から得られる比較結果に基づいて受信タイミングに対する基準タイミングのずれを補正するタイミング補正手段と、少なくとも２種類の補正速度のうち、通信端末装置の送受信モード及び受信モードからなる通信モードの状態に応じた補正速度で受信タイミングに対する基準タイミングのずれを補正するようにタイミング補正手段を制御する制御手段とを設けるようにした。
【００２３】
この結果、通信端末装置の受信モード時に受信タイミングに対する基準タイミングのタイミングのずれを当該通信端末装置の送受信モード時に比べて高速に補正して受信処理のエラーの発生を大幅に低減させることができる。
【００２４】
また本発明においては、送信機及び受信機を有する通信端末装置を動作させるための基準タイミングを補正するタイミング補正方法において、受信機によつて受信された所定の周期でなる受信信号の受信タイミングを検出すると共に、当該検出結果に基づいて受信タイミングの周期とほぼ同じ周期でなる基準タイミングを生成する第１のステツプと、受信タイミングと基準タイミングとを比較し、当該比較結果に基づいて、少なくとも２種類の補正速度のうち、通信端末装置の送受信モード及び受信モードからなる通信モードの状態に応じた補正速度で受信タイミングに対する基準タイミングのずれを補正する第２のステツプとを設けるようにした。
【００２５】
この結果、通信端末装置の受信モード時に受信タイミングに対する基準タイミングのずれを当該通信端末装置の送受信モード時に比べて高速に補正して受信処理のエラーの発生を大幅に低減させることができる。
【００２６】
【発明の実施の形態】
以下図面について、本発明の一実施の形態を詳述する。
【００２７】
（１）本実施の形態によるタイミング補正装置の構成
図６との対応部分に同一符号を付して示す図１において、１０は全体として本発明によるタイミング補正装置を示し、携帯型電話機（図示せず）によつて受信されたパイロツト信号Ｓ１が受信タイミング検出回路２に与えられる。
【００２８】
受信タイミング検出回路２は、このパイロツト信号Ｓ１に基づいて２周期分のスーパーフレーム信号が与えられるタイミング（すなわち受信タイミング）を検出し、この検出した受信タイミングを表す 160〔msec〕程度の周期でなる受信タイミング信号Ｓ２を生成し、これを比較回路３に与える。
【００２９】
またこのとき基準タイミング発生回路４は、クロツク発生回路５から与えられる所定周波数でなるクロツク信号Ｓ３に基づいて、内部のカウンタにより「０」から予め設定された所定数までを順次繰り返してカウントするようにして、受信タイミング信号Ｓ２の周期とほぼ同じ 160〔msec〕程度の周期でなる基準タイミングを表す基準タイミング信号Ｓ４を生成し、これを比較回路３に与える。
【００３０】
比較回路３は、受信タイミング検出回路２から与えられる受信タイミング信号Ｓ２と、基準タイミング発生回路４から与えられる基準タイミング信号Ｓ４とを比較し、この比較結果を比較結果信号Ｓ５としてタイミング補正制御回路６に与える。
【００３１】
タイミング補正制御回路６は、比較結果信号Ｓ５に基づいて、基準タイミング信号Ｓ４に対して受信タイミング信号Ｓ２が進むようにずれている場合、１チツプ周期だけ論理「Ｌ」レベルから論理「Ｈ」レベルに立ち上がり、かつ基準タイミング信号Ｓ４の位相を進めるように指定する第１の補正制御信号Ｓ６を生成すると共に、基準タイミング信号Ｓ４に対して受信タイミング信号Ｓ２が遅れるようにずれている場合、１チツプ周期だけ論理「Ｌ」レベルから論理「Ｈ」レベルに立ち上がり、かつ基準タイミング信号Ｓ４の位相を遅らせるように指定する第２の補正制御信号Ｓ７を生成する。
【００３２】
そしてこのときタイミング補正制御回路６には、補正速度制御回路１１から、携帯型電話機が送受信モードであれば、基準タイミング発生回路４が基準タイミング信号Ｓ４の１周期をカウントする間に第１の補正制御信号Ｓ６又は第２の補正制御信号Ｓ７を１回だけ出力させるように、基準タイミング信号Ｓ４の周期とほぼ同じ周期でなる第１の補正タイミングが第１の補正タイミング信号Ｓ１０として与えられる。
【００３３】
またこれに対してタイミング補正制御回路６には、補正速度制御回路１１から、携帯型電話機が受信モードであれば、基準タイミング発生回路４が基準タイミング信号Ｓ４の１周期をカウントする間に第１の補正制御信号Ｓ６又は第２の補正制御信号Ｓ７を２回出力させるように、基準タイミング信号Ｓ４の周期のほぼ２分の１周期でなる第２の補正タイミングが第２の補正タイミング信号Ｓ１１として与えられる。
【００３４】
これによりタイミング補正制御回路６は、送受信モード時、第１の補正タイミング信号Ｓ１０に基づいて得られる第１の補正タイミングで第１の補正制御信号Ｓ６又は第２の補正制御信号Ｓ７を基準タイミング発生回路４に与えると共に、これに対して受信モード時、第２の補正タイミング信号Ｓ１１に基づいて得られる第２の補正タイミングで第１の補正制御信号Ｓ６又は第２の補正制御信号Ｓ７を基準タイミング発生回路４に与える。
【００３５】
この場合基準タイミング発生回路４は、クロツク発生回路５から与えられるクロツク信号Ｓ３に基づいて、内部のカウンタにより基準タイミング信号Ｓ４を生成するためにカウントしながら、このカウントの桁よりも下位の桁となる例えば「０」から「３」までをチツプ周期で順次繰り返してカウントする。
【００３６】
そしてこの基準タイミング発生回路４は、送受信モード時に基準タイミング信号Ｓ４に対して受信タイミング信号Ｓ２が進むようにずれている場合、タイミング補正制御回路６から第１の補正タイミングで与えられる第１の補正制御信号Ｓ６に基づいて、この第１の補正制御信号Ｓ６が論理「Ｌ」レベルから論理「Ｈ」レベルに立ち上がる１チツプ周期において、カウンタにより下位の桁を例えば「２」を飛ばすように「０」、「１」、「３」とカウントし、かくして１周期分の基準タイミング信号Ｓ４のタイミングを下位の桁のレベルで１カウントだけ進めるように補正する。
【００３７】
これに対して基準タイミング発生回路４は、送受信モード時に基準タイミング信号Ｓ４に対して受信タイミング信号Ｓ２が遅れるようにずれている場合、タイミング補正制御回路６から第１の補正タイミングで与えられる第２の補正制御信号Ｓ７に基づいて、この第２の補正制御信号Ｓ７が論理「Ｌ」レベルから論理「Ｈ」レベルに立ち上がる１チツプ周期において、カウンタにより下位の桁を例えば「２」を２度カウントするように「０」、「１」、「２」、「２」、「３」とカウントし、かくして１周期分の基準タイミング信号Ｓ４のタイミングを下位の桁のレベルで１カウントだけ遅らせるように補正する。
【００３８】
またこの基準タイミング発生回路４は、受信モード時に基準タイミング信号Ｓ４に対して受信タイミング信号Ｓ２が進むようにずれている場合、タイミング補正制御回路６から第２の補正タイミングで与えられる第１の補正制御信号Ｓ６に基づいて、この第１の補正制御信号Ｓ６が論理「Ｌ」レベルから論理「Ｈ」レベルに立ち上がる１チツプ周期において、カウンタにより下位の桁を例えば「２」を飛ばすように「０」、「１」、「３」とカウントし、かくして１周期分の基準タイミング信号Ｓ４のタイミングを下位の桁のレベルで２カウント進めるように補正する。
【００３９】
これに対して基準タイミング発生回路４は、受信モード時に基準タイミング信号Ｓ４に対して受信タイミング信号Ｓ２が遅れるようにずれている場合、タイミング補正制御回路６から第２の補正タイミングで与えられる第２の補正制御信号Ｓ７に基づいて、この第２の補正制御信号Ｓ７が論理「Ｌ」レベルから論理「Ｈ」レベルに立ち上がる１チツプ周期において、カウンタにより下位の桁を例えば「２」を２度カウントするように「０」、「１」、「２」、「２」、「３」とカウントし、かくして１周期分の基準タイミング信号Ｓ４のタイミングを下位の桁のレベルで２カウント遅らせるように補正する。
【００４０】
このようにして基準タイミング発生回路４は、比較回路３において受信タイミング信号Ｓ２に対する基準タイミング信号Ｓ４のタイミングのずれが検出されると、送受信モード時には１周期分の基準タイミング信号Ｓ４のタイミングを１回だけ１チツプの４分の１位相進める又は遅らせるようにして補正すると共に、受信モード時には１周期分の基準タイミング信号Ｓ４のタイミングを２回１チツプの４分の１位相進める又は遅らせるようにして補正するようになされている。
【００４１】
（２）基準タイミング信号のタイミング補正処理
ここで実際上このタイミング補正装置１０において基準タイミング発生回路４は、図２（Ａ）〜（Ｄ）に示すように、送受信モード時、基準タイミング信号Ｓ４N2-1、Ｓ４N2、Ｓ４N2+1（図２（Ｂ））に対して受信タイミング信号Ｓ２N2-1、Ｓ２N2、Ｓ２N2+1（図２（Ｃ））が進むようにずれた場合、タイミング補正制御回路６から第１の補正タイミング（図２（Ａ））で第１の補正制御信号Ｓ６（図２（Ｄ））が与えられる。
【００４２】
そしてこの基準タイミング発生回路４は、第１の補正タイミングで与えられる第１の補正制御信号Ｓ６に基づいて、１周期分の基準タイミング信号Ｓ４N2-1、Ｓ４N2、Ｓ４N2+1を１チツプの４分の１位相進めるようにして基準タイミング信号Ｓ４のタイミングをＣＤＭＡ方式のＩＳ９５規格による規定に従つて受信タイミング信号Ｓ２のタイミングに合わせるように補正する。
【００４３】
これに対して基準タイミング発生回路４は、図３（Ａ）〜（Ｄ）に示すように、送受信モード時、基準タイミング信号Ｓ４N3-1、Ｓ４N3、Ｓ４N3+1（図３（Ｂ））に対して受信タイミング信号Ｓ２N3-1、Ｓ２N3、Ｓ２N3+1（図３（Ｃ））が遅れるようにずれた場合、タイミング補正制御回路６から第１の補正タイミング（図３（Ａ））で第２の補正制御信号Ｓ７（図３（Ｄ））が与えられる。
【００４４】
そしてこの基準タイミング発生回路４は、第１の補正タイミングで与えられる第２の補正制御信号Ｓ７に基づいて、１周期分の基準タイミング信号Ｓ４N3-1、Ｓ４N3、Ｓ４N3+1を１チツプの４分の１位相遅らせるようにして基準タイミング信号Ｓ４のタイミングをＣＤＭＡ方式のＩＳ９５規格による規定に従つて受信タイミング信号Ｓ２のタイミングに合わせるように補正する。
【００４５】
またこの基準タイミング発生回路４は、図４（Ａ）〜（Ｄ）に示すように、受信モード時、基準タイミング信号Ｓ４N4-1、Ｓ４N4（図４（Ｂ））に対して受信タイミング信号Ｓ２N4-1、Ｓ２N4（図４（Ｃ））が進むようにずれた場合、タイミング補正制御回路６から第２の補正タイミング（図４（Ａ））で１周期分の基準タイミング信号Ｓ４N4-1、Ｓ４N4に対して２回第１の補正制御信号Ｓ６（図４（Ｄ））が与えられる。
【００４６】
そしてこの基準タイミング発生回路４は、第２の補正タイミングで与えられる第１の補正制御信号Ｓ６に基づいて、１周期分の基準タイミング信号Ｓ４N4-1、Ｓ４N4を２回１チツプの４分の１位相進めるようにして基準タイミング信号Ｓ４のタイミングを送受信モード時の２倍の速度で受信タイミング信号Ｓ２のタイミングに合わせるように補正する。
【００４７】
これに対してこの基準タイミング発生回路４は、図５（Ａ）〜（Ｄ）に示すように、受信モード時、基準タイミング信号Ｓ４N5-1、Ｓ４N5（図５（Ｂ））に対して受信タイミング信号Ｓ２N5-1、Ｓ２N5（図５（Ｃ））が進むようにずれた場合、タイミング補正制御回路６から第２の補正タイミング（図５（Ａ））で１周期分の基準タイミング信号Ｓ４N5-1、Ｓ４N5に対して２回第２の補正制御信号Ｓ７（図５（Ｄ））が与えられる。
【００４８】
そしてこの基準タイミング発生回路４は、第２の補正タイミングで与えられる第２の補正制御信号Ｓ７に基づいて、１周期分の基準タイミング信号Ｓ４N5-1、Ｓ４N5を２回１チツプの４分の１位相進めるようにして基準タイミング信号Ｓ４のタイミングを送受信モード時の２倍の速度で受信タイミング信号Ｓ２のタイミングに合わせるように補正する。
【００４９】
このようにしてこの基準タイミング発生回路４は、送受信モード時、ＩＳ９５規格による規定に従つて受信タイミング信号Ｓ２に対する基準タイミング信号Ｓ４のタイミングのずれを補正し得るようになされている。
【００５０】
またこの基準タイミング発生回路４は、ＩＳ９５規格によつて補正内容が規定されていない受信モード時、順次１周期分の基準タイミング信号Ｓ４を２回１チツプの４分の１位相進める又は遅らせることにより、受信タイミング信号Ｓ２に対する基準タイミング信号Ｓ４のタイミングのずれを送受信モード時よりも高速に補正し得るようになされている。
【００５１】
（３）本実施の形態の動作及び効果
以上の構成において、このタイミング補正装置１０では、送受信モード時、受信タイミング信号Ｓ２に対して基準タイミング信号Ｓ４のタイミングがずれた場合、ＣＤＭＡ方式のＩＳ９５規格による規定に従つて１周期分の基準タイミング信号Ｓ４を１チツプの４分の１位相進める又は遅らせるようにして当該基準タイミング信号Ｓ４のタイミングを補正する。
【００５２】
またこのタイミング補正装置１０では、受信モード時、受信タイミング信号Ｓ２に対して基準タイミング信号Ｓ４のタイミングがずれた場合、この受信モードにおいてはＣＤＭＡ方式のＩＳ９５規格による位相補正に対する規定が定められていないことから、１周期分の基準タイミング信号Ｓ４を２回１チツプの４分の１位相進める又は遅らせるようにして当該基準タイミング信号Ｓ４のタイミングを補正する。
【００５３】
この場合このタイミング補正装置１０では、受信モード時、１周期分の基準タイミング信号Ｓ４のタイミングの補正回数を送受信モード時よりも増やしたことから、当該送受信モード時に比べてこの基準タイミング信号Ｓ４のタイミングのずれを短時間で補正することができる。
【００５４】
従つてこのタイミング補正装置１０では、携帯型電話機において受信の休止期間と、比較的短い受信期間とを順次交互に繰り返すような間欠受信を行う場合、当該携帯型電話機が基地局に対して急に近づいたり、又は急に遠ざかつたりして基準タイミング信号Ｓ４のタイミングに比較的大きなずれが生じても、各受信期間において受信タイミング信号Ｓ２に対する基準タイミング信号Ｓ４のタイミングのずれを比較的高速に補正することができ、かくしてこのような間欠受信においても携帯型電話機における受信処理のエラーの発生を大幅に低減させることができる。
【００５５】
またこのタイミング補正装置１０では、補正速度制御回路１１がタイミング補正制御回路６から出力される第１の補正制御信号Ｓ６又は第２の補正制御信号Ｓ７の出力タイミングを制御するだけで、当該補正速度制御回路１１を除く全ての回路が従来のタイミング補正装置１（図６）の場合とほぼ同様に動作しながら送受信モード時及び受信モード時にそれぞれ応じた補正処理を行うことができ、かくして受信モード時に高速な補正処理を行うための煩雑な補正処理が必要になることを防止することができる。
【００５６】
さらにこのタイミング補正装置１０では、従来のタイミング補正装置１（図６）の回路構成に対して補正速度制御回路１１を追加するだけの簡易な回路構成で受信モード時に基準タイミング信号Ｓ４のタイミングのずれを比較的高速に、かつ容易に補正することができることから、基準タイミング信号Ｓ４のタイミングのずれが発生することを防止するために例えば比較的高精度なクロツク信号Ｓ３を発生させるクロツク発生回路を設ける等のように装置全体が高価になることを防止することができる。
【００５７】
以上の構成によれば、送受信モード時には、ＣＤＭＡ方式のＩＳ９５規格による規定に従つて１周期分の基準タイミング信号Ｓ４を１回だけ１チツプの４分の１位相進める又は遅らせるようにして基準タイミング信号Ｓ４のタイミングのずれを補正し、受信モード時には、１周期分の基準タイミング信号Ｓ４を２回１チツプの４分の１位相進める又は遅らせるようにして基準タイミング信号Ｓ４のタイミングのずれを補正するようにしたことにより、受信モード時に受信タイミング信号Ｓ２に対する基準タイミング信号Ｓ４のタイミングのずれを送受信モード時に比べて高速に補正して受信処理のエラーの発生を大幅に低減させることができ、かくして携帯型電話機の受信モード時に信号の受信処理を安定して行わせ得るタイミング補正装置及びタイミング補正方法を実現することができる。
【００５８】
（４）他の実施の形態
なお上述の実施の形態においては、本発明を携帯型電話機に設けられたタイミング補正装置１０に適用するようにした場合について述べたが、本発明はこれに限らず、送信側から送信された所定の信号の受信タイミングに応じて基準タイミングを生成し、当該基準タイミングに基づいて送信処理及び受信処理を行う通信端末装置であれば，この他種々の通信端末装置に設けられるタイミング補正装置に適用するようにしても良い。
【００５９】
また上述の実施の形態においては、受信モード時、１周期分の基準タイミング信号Ｓ４のタイミングの補正を２回行うように補正速度制御回路１１によりタイミング補正制御回路６の第１の補正制御信号Ｓ６又は第２の補正制御信号Ｓ７の出力タイミングを制御するようにした場合について述べたが、本発明はこれに限らず、受信モード時、１周期分の基準タイミング信号Ｓ４のタイミングの補正を２回以上行うように補正速度制御回路１１によりタイミング補正制御回路６の第１の補正制御信号Ｓ６又は第２の補正制御信号Ｓ７の出力タイミングを制御するようにしても良く、これにより受信モード時、基準タイミング信号Ｓ４のタイミングを更に高速に補正することができる。
【００６０】
さらに上述の実施の形態においては、受信モード時、１周期分の基準タイミング信号Ｓ４のタイミングの補正を２回行うように補正速度制御回路１１によりタイミング補正制御回路６の第１の補正制御信号Ｓ６又は第２の補正制御信号Ｓ７の出力タイミングを制御するようにした場合について述べたが、本発明はこれに限らず、受信モード時、比較回路３から得られる比較結果に基づいて得られる受信タイミング信号Ｓ２に対する基準タイミング信号Ｓ４のタイミングのずれ量に応じて、１周期分の基準タイミング信号Ｓ４のタイミングの補正を少なくとも１回行うように補正速度制御回路１１によりタイミング補正制御回路６の第１の補正制御信号Ｓ６又は第２の補正制御信号Ｓ７の出力タイミングを制御するようにしても良い。
【００６１】
さらに上述の実施の形態においては、受信タイミング検出回路２により２周期分のスーパーフレーム信号が与えられるタイミングを検出し、基準タイミング発生回路４によりこの２周期分のスーパーフレーム信号に応じた周期でなる基準タイミング信号Ｓ４を生成するようにした場合について述べたが、本発明はこれに限らず、受信タイミング検出回路２により所定周期分のスーパーフレーム信号を検出し、基準タイミング発生回路４によりこの所定周期分のスーパーフレーム信号に応じた基準タイミング信号を生成するようにしても良い。
【００６２】
さらに上述の実施の形態においては、受信タイミングに基づいて通信端末装置を動作させるための受信タイミングの周期とほぼ同じ周期でなる基準タイミングを生成する基準タイミング生成手段として、基準タイミング発生回路４、クロツク発生回路５を適用するようにした場合について述べたが、本発明はこれに限らず、受信タイミングに基づいて通信端末装置を動作させるための受信タイミングの周期とほぼ同じ周期でなる基準タイミングを生成することができれば、この他種々の構成でなる基準タイミング生成手段を適用するようにしても良い。
【００６３】
さらに上述の実施の形態においては、比較手段から得られる比較結果に基づいて受信タイミングに対する基準タイミングのずれを補正するタイミング補正手段として、基準タイミング発生回路４、クロツク発生回路５、タイミング補正制御回路６を適用するようにした場合について述べたが、本発明はこれに限らず、比較手段から得られる比較結果に基づいて受信タイミングに対する基準タイミングのずれを補正することができれば、この他種々の構成でなるタイミング補正手段を適用するようにしても良い。
【００６４】
さらに上述の実施の形態においては、少なくとも２種類の補正速度のうち、通信端末装置の通信状態に応じた補正速度で受信タイミングに対する基準タイミングのずれを補正するようにタイミング補正手段を制御する制御手段として、補正速度制御回路１１を適用するようにした場合について述べたが、本発明はこれに限らず、少なくとも２種類の補正速度のうち、通信端末装置の通信状態に応じた補正速度で受信タイミングに対する基準タイミングのずれを補正するようにタイミング補正手段を制御することができれば、この他種々の構成でなる制御手段を適用するようにしても良い。
【００６５】
さらに上述の実施の形態においては、比較結果に基づいて受信タイミングに対する基準タイミングのずれを補正するための補正信号を出力する補正信号出力手段として、タイミング補正制御回路６を適用するようにした場合について述べたが、本発明はこれに限らず、比較結果に基づいて受信タイミングに対する基準タイミングのずれを補正するための補正信号を出力することができれば、この他種々の構成でなる補正信号出力手段を適用するようにしても良い。
【００６６】
さらに上述の実施の形態においては、補正信号に基づいて受信タイミングに対する基準タイミングのずれを補正する補正手段として、基準タイミング発生回路４、クロツク発生回路５を適用するようにした場合について述べたが、本発明はこれに限らず、補正信号に基づいて受信タイミングに対する基準タイミングのずれを補正することができれば、この他種々の構成でなる補正手段を適用するようにしても良い。
【００６７】
【発明の効果】
上述のように本発明によれば、送信機及び受信機を有する通信端末装置に設けられるタイミング補正装置において、受信機によつて受信された所定の周期でなる受信信号の受信タイミングを検出する受信タイミング検出手段と、受信タイミングに基づいて通信端末装置を動作させるための受信タイミング信号の周期とほぼ同じ周期でなる基準タイミングを生成する基準タイミング生成手段と、受信タイミングと基準タイミングとを比較する比較手段と、当該比較手段から得られる比較結果に基づいて受信タイミングに対する基準タイミングのずれを補正するタイミング補正手段と、少なくとも２種類の補正速度のうち、通信端末装置の送受信モード及び受信モードからなる通信モードの状態に応じた補正速度で受信タイミングに対する基準タイミングのずれを補正するようにタイミング補正手段を制御する制御手段とを設けるようにしたことにより、通信端末装置の受信モード時に受信タイミングに対する基準タイミングのずれを当該通信端末装置の送受信モード時に比べて高速に補正して受信処理のエラーの発生を大幅に低減させることができ、かくして通信端末装置の受信モード時に信号の受信処理を安定して行わせ得るタイミング補正装置を実現することができる。
【００６８】
また送信機及び受信機を有する通信端末装置を動作させるための基準タイミングを補正するタイミング補正方法において、受信機によつて受信された所定の周期でなる受信信号の受信タイミングを検出すると共に、当該検出結果に基づいて受信タイミングの周期とほぼ同じ周期でなる基準タイミングを生成する第１のステツプと、受信タイミングと基準タイミングとを比較し、当該比較結果に基づいて、少なくとも２種類の補正速度のうち、通信端末装置の送受信モード及び受信モードからなる通信モードの状態に応じた補正速度で受信タイミングに対する基準タイミングのずれを補正する第２のステツプとを設けるようにしたことにより、通信端末装置の受信モード時に受信タイミングに対する基準タイミングのずれを当該通信端末装置の送受信モード時に比べて高速に補正して受信処理のエラーの発生を大幅に低減させることができ、かくして通信端末装置の受信モード時に信号の受信処理を安定して行わせ得るタイミング補正方法を実現することができる。
【図面の簡単な説明】
【図１】本実施の形態によるタイミング補正装置の構成を示すブロツク図である。
【図２】送受信モード時における基準タイミング信号のタイミング補正の説明に供するタイミングチヤートである。
【図３】送受信モード時における基準タイミング信号のタイミング補正の説明に供するタイミングチヤートである。
【図４】受信モード時における基準タイミング信号のタイミング補正の説明に供するタイミングチヤートである。
【図５】受信モード時における基準タイミング信号のタイミング補正の説明に供するタイミングチヤートである。
【図６】従来のタイミング補正装置の構成を示すブロツク図である。
【図７】基準タイミング信号と受信タイミング信号とのずれの説明に供するタイミングチヤートである。
【図８】基準タイミング信号のタイミング補正の説明に供するタイミングチヤートである。
【符号の説明】
１０……タイミング補正装置、２……受信タイミング検出回路、３……比較回路、４……基準タイミング発生回路、５……クロツク発生回路、６……タイミング補正制御回路、１１……補正速度制御回路、Ｓ１……パイロツト信号、Ｓ２……受信タイミング信号、Ｓ３……クロツク信号、Ｓ４……基準タイミング信号、Ｓ５……比較結果信号、Ｓ６……第１の補正制御信号、Ｓ７……第２の補正制御信号、Ｓ１０……第１の補正タイミング信号、Ｓ１１……第２の補正タイミング信号。
【図１】
0003997496.tif 000002
【図２】
0003997496.tif 000003
【図３】
0003997496.tif 000004
【図４】
0003997496.tif 000005
【図５】
0003997496.tif 000006
【図６】
0003997496.tif 000007
【図７】
0003997496.tif 000008
【図８】
0003997496.tif 000009